(57)【要約】【課題】特定機能が設定された第１通信端末と当該特定機能が設定されていない第２通信端末とで同一の電話番号を使用するサービスを利用する際に、着呼者・発呼者間のコミュニケーションが悪化する事態を、着呼者側の手数を煩わせずに未然に防止すること。【解決手段】携帯電話機５及びＤＣＭ４を同一の番号で使用できるようになっており、テレビ電話機能が設定されていないＤＣＭ４が着呼可能なアクティブ状態とされたときには、当該テレビ電話機能が設定された携帯電話機５が着呼不可能な非アクティブ状態とされる。このような状態において、非アクティブ状態に切替えられている携帯電話機５に対して発呼者側からテレビ電話機能による着呼要求があった場合には、管理センタ２が、その発呼者に対してテレビ電話機能が無効化されている旨のガイダンス情報を通報する。【選択図】図１
2008042477.tif 000002
【特許請求の範囲】
【請求項１】
特定機能が設定された第１通信端末と当該特定機能が設定されていない第２通信端末とで同一の電話番号を使用するように構成され、それら通信端末のうちの一方が相手発呼先からの発呼要求に応答可能なアクティブ状態に切替えられたときに他方が応答不可能な非アクティブ状態に切替えられる電話システムにおいて、
非アクティブ状態とされた前記第１通信端末に対して相手発呼先から前記特定機能に関連した発呼要求があった場合に、前記相手発呼先に対して当該特定機能が無効化されている旨のガイダンス情報を通報する情報提供手段を備えたことを特徴とする電話システム。
【請求項２】
前記第２通信端末がアクティブ状態に切替えられたときに当該第２通信端末及び前記第１通信端末に設定されている機能の相違を抽出する機能差抽出手段を備え、
前記情報提供手段は、前記ガイダンス情報の通報を前記機能差抽出手段による抽出結果を参照して実行することを特徴とする請求項１記載の電話システム。
【発明の詳細な説明】
【技術分野】
【０００１】
本発明は、複数の通信端末で同一の電話番号を使用するように構成され、それら通信端末のうちの一方が相手発呼先からの発呼要求に応答可能なアクティブ状態に切替えられたときに他方が応答不可能な非アクティブ状態とされる電話システムに関する。
【背景技術】
【０００２】
現在、テレビ電話機能を備えた携帯電話機（例えば、（株）ＮＴＴドコモ製の「ＦＯＭＡ（登録商標）」）が提供されている。一方、近年では、複数の通信端末、例えば、携帯電話機と車載通信モジュールを同一の電話番号で使用できるようにしたスイッチホン（登録商標）サービスが考えられており、このようなスイッチホンサービスでは、例えば、携帯電話機及び車載通信モジュールのうちの一方が相手発呼先からの発呼要求に応答可能なアクティブ状態とされたときに他方が応答不可能な非アクティブ状態とされることになる。この場合、テレビ電話機能が携帯電話機のみに設定され、その機能が車載通信モジュールには設定されていない状態を想定すると、携帯電話機が非アクティブな状態（車載通信モジュールがアクティブな状態）にある期間に、相手発呼先からテレビ電話機能による発呼要求があったときには、そのテレビ電話機能が働かないことになる。このため、発呼者側が不審感や不快感を抱くようになるなど、両者間のコミュニケーションに悪影響を及ぼす恐れが出てくるという問題点がある。従来、テレビ電話機能に関連した手段としては、携帯電話機でのテレビ電話の受信中に電話回線による着信があった場合に、その旨をテレビ電話画面中で表示するようにした手段（特許文献１参照）や、車載テレビ電話装置において、自車両が走行状態にあるときには、通信相手に対してテレビ画像の送信を中止するようにした手段などが提供されている。
【特許文献１】特開平７−２３３５７号公報
【特許文献２】特開２００４−３２５８９号公報
【発明の開示】
【発明が解決しようとする課題】
【０００３】
上記従来の各手段では、スイッチホンサービスを利用する際に発生する前述のような問題点に全く対処できないという事情がある。このため、スイッチホンサービスの利用時において、前述したように携帯電話機が非アクティブな状態にある期間に、相手発呼先からテレビ電話機能による発呼要求があったときには、着呼者側で、テレビ電話機能が使用できない旨を発呼者側に一々通報するなどの対策が必要となり、その通報のための操作が煩わしくなるという問題点も出てくることになる。
【０００４】
本発明は上記事情に鑑みてなされたものであり、その目的は、特定機能が設定された第１通信端末と当該特定機能が設定されていない第２通信端末とで同一の電話番号を使用するサービスを利用する場合に、着呼者及び発呼者間のコミュニケーションが悪化する事態を、着呼者側の手数を煩わせることなく未然に防止できるようになるなどの効果を奏する電話システムを提供することにある。
【課題を解決するための手段】
【０００５】
請求項１記載の手段によれば、第１通信端末及び第２通信端末を同一の番号で使用できるようになっており、特定機能が設定されていない第２通信端末が相手発呼先からの発呼要求に応答可能なアクティブ状態とされたときには、当該特定機能が設定された第１通信端末が応答不可能な非アクティブ状態とされる。このような状態において、非アクティブ状態に切替えられている第１通信端末に対して相手発呼先から前記特定機能に関連した発呼要求があった場合には、情報提供手段が、その相手発呼先に対して当該特定機能が無効化されている旨のガイダンス情報を通報するようになる。
【０００６】
要するに、第１通信端末が非アクティブな状態（第２通信端末がアクティブな状態）にある期間に当該第１通信端末に設定された特定機能に関連した発呼要求があったときには、その特定機能が働かないことになるが、このような場合には、特定機能が無効化されている旨を知らせるためのガイダンス情報が発呼者側に通報されるようになる。このため、特定機能が働かないことに対して、発呼者側が不審感や不快感を抱く事態を未然に防止できるようになり、結果的に発呼者及び着呼者間のコミュニケーションに悪影響を及ぼす恐れがなくなる。また、上記ガイダンス情報の通報は、着呼者側の操作を必要とすることなく自動的に行われることになるから、その通報のための操作が煩わしくなる恐れもなくなる。
【０００７】
請求項２記載の手段によれば、前記第２通信端末がアクティブ状態に切替えられる毎に、機能差抽出手段によって、当該第２通信端末及び前記第１通信端末に設定されている機能の相違が抽出され、前記情報提供手段は、このような抽出結果を参照して前記ガイダンス情報の通報を実行するようになる。つまり、ガイダンス情報は、第１及び第２通信端末の機能差に係る最新の情報を根拠としたものとなるから、その信頼性が向上するようになる。
【発明を実施するための最良の形態】
【０００８】
（第１の実施の形態）
以下、本発明の第１実施例について図１〜図５を参照しながら説明する。
図１には、本実施例による電話システムの概略構成例が示されている。この図１において、車両１には、ネットワーク管理センタ（以下、管理センタと略称：情報提供手段に相当）２との間での通信を携帯電話通信網３により行うためのＤＣＭ（Data Communication Module：データ通信モジュール）４が、本発明でいう第２通信端末及び機能差抽出手段として搭載されている。尚、ＤＣＭ４は、管理センタ２との間での通信に基づいて実現される種々のコンテンツ（Ｇ−ＢＯＯＫ（登録商標）のようなテレマティクスサービスである緊急通報サービス、ロードアシストサービス、マイカーサーチサービス、リモートメンテナンスサービスなど）を、所定のコンテンツ利用契約に基づいて利用できる構成となっている。
【０００９】
ＤＣＭ４は、携帯電話通信網３を介した通信動作を、ユーザ（車両運転者）が所持する携帯電話機５（第１通信端末に相当）と同一の電話番号で行うという所謂スイッチホン機能（電話番号切替機能）を備えており、携帯電話通信網３を利用した音声通話を、別途設けられたハンズフリー通話ユニットにより行い得る構成となっている。これにより、ユーザは、通常の徒歩移動時などには、携帯電話機５を使用し、車両搭乗時には、ＤＣＭ４による音声通話機能を使用することができる。この場合、携帯電話機５には、テレビ電話機能（特定機能に相当）が設定されているが、ＤＣＭ４には、このようなテレビ電話機能は設定されていない。
【００１０】
尚、管理センタ２側には、携帯電話機５の電話番号と前記コンテンツ利用契約が成立しているＤＣＭ４のＩＤコードとを対応付けた状態で格納した顧客データベースが構築されており、この顧客データベースの格納情報に基づいてＤＣＭ４及び携帯電話機５の対応関係を抽出できる構成となっている。また、ＤＣＭ４には、対応する携帯電話機５の電話番号が電話番号情報として予め登録されている。
【００１１】
ここで、上記スイッチホン機能には、以下（１）〜（４）のような４通りのパターンがある。
（１）ユーザは、携帯電話機５に対応した電話番号を１つのみ保有し、その電話番号を複数の無線通信端末（但し、本実施例の場合はＤＣＭ４のみ）に登録し、それら通信端末（携帯電話機５及び無線通信端末を含むという意味である：以下同じ）のうちの１つのみをアクティブ状態とし、アクティブ状態とされた通信端末のみが通信可能となるパターン。但し、このアクティブ／非アクティブの設定及び解除（スイッチホン機能の切替）は、携帯電話機５や無線通信端末との通信に基づいて管理センタ２側で行う。
【００１２】
（２）ユーザは、携帯電話機５に対応した電話番号を１つのみ保有し、（１）の場合とほぼ同様にアクティブ／非アクティブの設定及び解除を行うが、その設定及び解除を携帯電話機５及び無線通信端末間の近距離無線通信（例えば、ブルートゥース（登録商標）、無線ＬＡＮ）により実行し、アクティブ／非アクティブの設定及び解除状態を、アクティブ状態となった通信端末側から管理センタ２へ報告するパターン。
【００１３】
（３）ユーザは、携帯電話機５及び複数の無線通信端末（但し、本実施例の場合はＤＣＭ４のみ）に対応した複数の電話番号を保有し、設定したい１つの電話番号Ａ（通常では携帯電話機５の電話番号）を、無線通信端末（本実施例の場合はＤＣＭ４）に登録し、その無線通信端末を、あたかも電話番号Ａを有した携帯電話機５として機能させるパターン。但し、このような電話番号の切替設定（スイッチホン機能の切替）は、携帯電話機５や無線通信端末との通信に基づいて管理センタ２側で行う。
【００１４】
（４）ユーザは、携帯電話機５及び複数の無線通信端末に対応した複数の電話番号を保有し、（３）の場合とほぼ同様の電話番号の切替設定を行うが、その切替を携帯電話機５及び無線通信端末間の近距離無線通信（例えば、ブルートゥース、無線ＬＡＮ）により実行し、このような電話番号切替状態を、電話番号の切替先となった通信端末側から管理センタ２へ報告するパターン。
【００１５】
図２には、ＤＣＭ４の電気的構成が機能ブロックの組み合わせにより示されている。この図２において、送受信アンテナ６は、携帯電話通信網４を介した通信動作のために設けられたもので、デュプレクサ７のアンテナポートに接続されている。デュプレクサ７の受信ポートには、送受信アンテナ６による受信波の信号増幅を行う受信部８が接続されており、この受信部８による増幅信号は、復調部９により復調されてベースバンド処理部１０に入力されるようになっている。また、デュプレクサ７の送信ポートには、ベースバンド処理部１０から変調部１１を通じて入力された変調信号を増幅する送信部１２が接続されている。
【００１６】
ベースバンド処理部１０との間で信号の授受を行う演算処理部１３は、通信動作に必要な各種の演算処理や各部の動作制御を行うためのもので、これには、車両１に係る車両情報（電源オフ情報（例えばＡＣＣオフ情報）、車速情報など）の入力機能を備えた車両インタフェース部１４、電話番号や演算処理部１３での演算結果などの各種情報を記憶保持するための記憶部１５、受信アンテナ１６ａを備えたＧＰＳ受信機１６が接続されている。この演算処理部１３は、マイクロコンピュータにより構成されたもので、そのソフトウエアによる処理機能部分である電話番号切替部１７、機能比較部１８を含んで成る。
【００１７】
上記電話番号切替部１７は、前述したスイッチホン機能を実現するためのものであり、また、上記機能比較部１８は、ＤＣＭ４及び携帯電話機５間の機能差を抽出するためのものである。尚、送信部１２による増幅出力のレベルは、演算処理部１３からの指令を、ベースバンド処理部１０を通じて受けるように設けられた送信電力制御装置１９により制御できる構成となっている。
【００１８】
図３のシーケンス図には、前述した（１）のパターンによるスイッチホン機能が採用された場合における車両１、管理センタ２、ＤＣＭ４及び携帯電話機５間での情報の流れが示されている。尚、図３において、管理センタ２とＤＣＭ４及び携帯電話機５との各間の通信は、携帯電話通信網３経由で行われるものである。
【００１９】
この図３において、ユーザが携帯電話機５の電話番号をＤＣＭ４に登録するというスイッチホン機能を能動化する際には、その携帯電話機５から管理センタ２に対して、回線切替要求である非アクティブ信号を送信する。すると、管理センタ２にあっては、当該携帯電話機５と対応関係にあるＤＣＭ４を前記顧客データベースの格納情報に基づいて抽出し、そのＤＣＭ４に対して回線切替コマンドを送信する。
【００２０】
この回線切替コマンドを受信したＤＣＭ４は、予め登録されている前記電話番号情報（携帯電話機５の電話番号に対応）をアクティブな状態（その電話番号で通話及びデータ通信が可能な状態）に切替えると同時に、携帯電話機５には設定されているが自身には設定されていない機能の有無を確認し、その確認結果に応じた機能差情報を含む回線変更完了応答を管理センタ２へ送信する。ここで、本実施例では、携帯電話機５にはテレビ電話機能が設定されているが、ＤＣＭ４には当該テレビ電話機能が設定されていない状態を想定している。従って、上記機能差情報は、テレビ電話機能がない旨の情報を含むことになる。尚、本実施例では、ＤＣＭ４側に、対応する携帯電話機５に係る電話番号情報を予め登録しておく構成としたが、当該ＤＣＭ４に対応した携帯電話機５に係る電話番号情報を管理センタ２からＤＣＭ４へ転送する構成も可能であり、このような構成によれば上記のような電話番号情報の登録は不要になる。
【００２１】
上記回線変更完了応答を受信した管理センタ２では、当該完了応答に含まれる機能差情報を携帯電話機５の電話番号と対応付けた状態で格納する共に、回線切替完了信号を携帯電話機５へ送信する。このような回線切替完了信号を受信した携帯電話機５は、自身の着呼機能（相手発呼先からの発呼要求に応答する機能）を無効化した非アクティブモード（但し、発呼機能は有効な状態にある）に切替わるようになる。
【００２２】
この後において、車両１からの電源オフ情報がＤＣＭ４に与えられたときには、ＤＣＭ４は、管理センタ２に対して回線切替要求である非アクティブ信号を送信する。すると、管理センタ２にあっては、当該ＤＣＭ４と対応関係にある携帯電話機５を前記顧客データベースの格納情報に基づいて抽出し、その携帯電話機５に対して回線切替コマンドを送信する。
【００２３】
この回線切替コマンドを受信した携帯電話機５は、着呼機能の無効化状態を解消することにより、相手発呼先からの発呼要求に応答可能なアクティブモードへ復帰し、この後に回線変更完了応答を管理センタ２へ送信する。
【００２４】
上記回線変更完了応答を受信した管理センタ２では、格納状態にある前記機能差情報を初期化（消去）すると共に、回線切替完了信号をＤＣＭ４へ送信する。このような回線切替完了信号を受信したＤＣＭ４は、予め登録されている前記電話番号情報を無効化することにより、相手発呼先からの発呼要求に応答不可能な非アクティブな状態に切替わるようになる。
【００２５】
以上のようなシーケンスによりスイッチホン機能が働くものであり、この場合、管理センタ２側では、機能差情報が格納されている状態では、ＤＣＭ４がアクティブな状態で且つ携帯電話機５が非アクティブな状態にあると判断でき、また、機能差情報が格納されていない状態では、ＤＣＭ４が非アクティブな状態で且つ携帯電話機５がアクティブな状態にあると判断できることになる。尚、図３の例では、ＤＣＭ４及び携帯電話機５の双方がアクティブな状態を呈する期間が短時間だけ存在することになるが、この期間に着信があった場合には、ＤＣＭ４及び携帯電話機５の一方が優先的に着呼状態となるように構成すれば良い。これに関連して、携帯電話機５は、管理センタ２からの回線切替完了信号を受信するのに応じて非アクティブモードに切替わる構成としたが、管理センタ２へ回線切替要求（非アクティブ信号）を送信する動作を行った後に直ちに非アクティブモードに切替わる構成としても良い。但し、このような構成とした場合には、ＤＣＭ４及び携帯電話機５の双方が着呼不能状態となる期間が短時間だけ存在することになる。
【００２６】
しかして、管理センタ２にあっては、図４に示すシーケンス図のように、相手発呼先から発呼要求（これには、着信先電話番号情報、実行する機能（本実施例の場合、テレビ電話機能）を示す実行機能要求信号が含まれる）があった場合に、ＤＣＭ４がアクティブ状態にあるか否か（換言すれば、着呼先（ＤＣＭ４または携帯電話機５）のテレビ電話機能が有効か否か）を、携帯電話機５の電話番号と対応付けた状態で格納している機能差情報を参照することにより判断し、「ＮＯ」と判断したとき（携帯電話機５がアクティブ状態にあるとき）には、着呼先（携帯電話機５）に対してテレビ電話機能を伴う発呼要求を行う。これに対して、「ＹＥＳ」と判断したとき、つまり、スイッチホン機能により非アクティブ化された携帯電話機５に対して、テレビ電話機能による発呼要求があった場合には、相手発呼先に対して、着呼先のテレビ電話機能が無効化されている旨のガイダンス情報を、携帯電話通信網３を通じて通報する。また、これと同時に、着呼先（ＤＣＭ４）に対してテレビ電話機能を伴わない音声のみによる発呼要求を行う。
【００２７】
尚、この場合に通報されるガイダンス情報は、例えば図５に一例を示すように、発呼者側の携帯電話機Ｙに表示されるテキスト情報とすることができるが、所謂「キャラ電（登録商標）」のような予め決められたキャラクター（アニメ、自画像など）を含むグラフィック情報であっても良いものである。また、ガイダンス情報として、車両乗車中であること示すテキスト情報或いはグラフィック情報を用いても良い。
【００２８】
要するに、上記した実施例によれば、ＤＣＭ４及び携帯電話機５を同一の番号で使用するという所謂スイッチホンサービスを利用できるものであり、テレビ電話機能が設定されていないＤＣＭ４が、相手発呼先からの発呼要求に応答可能なアクティブ状態とされたときには、テレビ電話機能が設定されている携帯電話機５が応答不可能な非アクティブ状態とされる。このような状態において、非アクティブ状態に切替えられている携帯電話機５に対して、相手発呼先からテレビ電話機能による発呼要求があった場合（実際には、アクティブ状態にあるＤＣＭ４に対して発呼要求があった場合に相当）には、管理センタ２が、その相手発呼先（発呼者）に対して着呼側のテレビ電話機能が無効化されている旨のガイダンス情報を通報するようになる。
【００２９】
つまり、携帯電話機５が非アクティブな状態（ＤＣＭ４がアクティブな状態）にある期間に当該携帯電話機５に設定されたテレビ電話機能に関連した発呼要求があったしても、そのテレビ電話機能が働かないことになるが、このような場合には、テレビ電話機能が無効化されている旨を知らせるためのガイダンス情報が発呼者側に通報されるようになる。このため、テレビ電話機能が働かないことに対して、発呼者側が不審感や不快感を抱く事態を未然に防止できるようになり、結果的に発呼者及び着呼者間のコミュニケーションに悪影響を及ぼす恐れがなくなる。また、上記ガイダンス情報の通報は、着呼者側の操作を必要とすることなく自動的に行われることになるから、その通報のための操作が煩わしくなる恐れもなくなる。
【００３０】
また、実際には、ＤＣＭ４及び携帯電話機５の機能差は、上記実施例で述べたようなテレビ電話機能の有無に限らないものであるが、本実施例では、ＤＣＭ４がアクティブ状態に切替えられる毎に、当該ＤＣＭ４において、自身に設定されている機能と携帯電話機に設定されている機能の相違が抽出され、管理センタ２は、このような抽出結果を参照して前記ガイダンス情報の通報を実行する構成となっている。これにより、ガイダンス情報は、ＤＣＭ４及び携帯電話機５の機能差に係る最新の情報を根拠としたものとなるから、その信頼性が向上するようになる。
【００３１】
（第２の実施の形態）
図６及び図７には、上記第１実施例と同様の効果を奏する本発明の第２実施例が示されており、以下これについて第１実施例と異なる部分のみ説明する。
【００３２】
即ち、この第２実施例は、図６に示すように、車両１にカーナビゲーション装置２０が搭載されている場合に、そのカーナビゲーション装置２０とＤＣＭ４とを車内ＬＡＮにより接続すると共に、携帯電話機５とカーナビゲーション装置２０との間の通信を近距離無線通信（ブルートゥース、無線ＬＡＮなど）により実行する構成としたものである。この場合、カーナビゲーション装置２０が、マスタ・スレーブシステムのマスタとして機能し、ＤＣＭ４及び携帯電話機がスレーブとして機能する、と考えることができる。
【００３３】
図７のシーケンス図には、スイッチホン機能に関連した内容のうち、車両１、管理センタ２、ＤＣＭ４、携帯電話機５及びカーナビゲーション装置２０間での情報の流れが示されている。尚、図７において、管理センタ２とＤＣＭ４及び携帯電話機５との各間の通信は携帯電話通信網３経由で行われ、ＤＣＭ４及びカーナビゲーション装置２０間の通信は車内ＬＡＮにより行われ、携帯電話機５及びカーナビゲーション装置２０間の通信は近距離無線通信により行われるものである。
【００３４】
この図７において、携帯電話機５からカーナビゲーション装置２０に対して接続要求があった場合、当該カーナビゲーション装置２０は、携帯電話機５に係る電話機情報（電話番号及び機能情報）をＤＣＭ４に転送する。また、カーナビゲーション装置２０は、携帯電話機５及びＤＣＭ４の双方に対して回線切替要求を送信する。
【００３５】
この場合、回線切替要求を受信した携帯電話機５は、管理センタ２へ電話番号使用停止要求を送信し、また、回線切替要求を受信したＤＣＭ４は、前記電話番号情報により示される電話番号を自身の電話番号として登録した上で、その電話番号をアクティブな状態（当該電話番号で通話及びデータ通信が可能な状態）に切替えると同時に、上記電話番号情報中の機能情報を参照することにより、携帯電話機５には設定されているが自身には設定されていない機能の有無を確認し、その確認結果に応じた機能差情報を含む回線変更完了信号を管理センタ２へ送信する。ここで、前記第１実施例と同様に、携帯電話機５にはテレビ電話機能が設定されているが、ＤＣＭ４には当該テレビ電話機能が設定されていない状態を想定した場合、上記機能差情報は、テレビ電話機能がない旨の情報を含むことになる。
【００３６】
上記電話番号使用停止要求及び回線変更完了信号を受信した管理センタ２では、ＤＣＭ４がアクティブ状態にあることを示す情報、並びに当該完了信号に含まれる機能差情報を携帯電話機５の電話番号と対応付けた状態で格納し、回線切替完了信号を携帯電話機５へ送信すると共に、回線変更完了信号をＤＣＭ４へ送信する。このような回線切替完了信号を受信した携帯電話機５は、自身の着呼機能（相手発呼先からの発呼要求に応答する機能）を無効化した非アクティブモード（但し、発呼機能は有効な状態にある）に切替わるようになる。また、上記回線変更完了信号を受信したＤＣＭ４は、その回線変更完了信号をカーナビゲーション装置２０へ転送する。この回線変更完了信号を受信したカーナビゲーション装置２０は、電話回線がＤＣＭ４側に切替えられた旨を報知するための回線変更完了表示を実行する。
【００３７】
この後において、車両１からの電源オフ情報がカーナビゲーション装置２０に与えられたときには、カーナビゲーション装置２０は、携帯電話機５に対し近距離無線通信での接続要求を行って通信を開始すると共に、通信リンクの確立後に回線切替要求を送信し、また、ＤＣＭ４に対しても回線切替要求を送信する。この場合、回線切替要求を受信した携帯電話機５は、電話番号使用開始要求を管理センタ２へ送信するようになり、また、回線切替要求を受信したＤＣＭ４は、その回線切替要求を管理センタ２へ転送する。
【００３８】
上記電話番号使用開始要求及び回線切替要求を受信した管理センタ２では、格納状態にある前記機能差情報を初期化し（この初期化には、携帯電話機５がアクティブ状態にあることを示す情報を格納する処理も含まれる）、切替確認コマンドをＤＣＭ４へ送信すると共に、回線切替完了信号を携帯電話機５へ送信する。すると、回線切替完了信号を受信した携帯電話機５が、着呼機能の無効化状態を解消することにより、相手発呼先からの発呼要求に応答可能なアクティブモードへ復帰するようになる。また、切替確認コマンドを受信したＤＣＭ４は、その切替確認コマンドをカーナビゲーション装置２０へ転送すると共に、登録されている電話番号を無効化することにより、相手発呼先からの発呼要求に応答不可能な非アクティブな状態に切替わるようになる。さらに、上記切替確認コマンドを受信したカーナビゲーション装置２０は、電話回線が携帯電話機５側に切替えられた旨を報知するための回線変更完了表示を実行する。
【００３９】
（第３の実施の形態）
図８及び図９には、本発明の第３実施例が示されており、以下これについて前記第２実施例と異なる部分のみ説明する。
即ち、本実施例は、ＤＣＭ４にもテレビ電話機能が設定されている電話システムを対象としたものである。この場合、ＤＣＭ４のテレビ電話機能は、車両１が規定速度（例えば、時速６ｋｍ）以上で走行している状態で無効化されるのに対して、携帯電話機５にはこのような制限がなく、この点でＤＣＭ４及び携帯電話機５間に機能差が存在する構成となっている。
【００４０】
車両１側のシステム構成を機能ブロックの組み合わせにより示した図８において、ＤＣＭ４及びカーナビゲーション装置２０は車内ＬＡＮ２１を介して通信を行うようになっており、この車内ＬＡＮ２１には、テレビ電話用の車室内カメラ２２、車速センサ２３なども接続されている。また、カーナビゲーション装置２０及び携帯電話機５には、互いの間で通信を行うための近距離無線通信機能が設けられている。尚、テレビ電話用のモニタは、カーナビゲーション装置２０用の表示器２０ａを利用することになる。また、この例では、車両１の後部座席に設けられた操作パネル（図示せず）からもＤＣＭ４の操作（発呼要求を含む）を行い得る構成となっている。
【００４１】
図９のフローチャートには、ＤＣＭ４による制御内容のうち、当該ＤＣＭ４がアクティブ化された状態（ＤＣＭ４のテレビ電話機能が働き得る状態）での応答制御ルーチンの要部が示されている。この応答制御ルーチンは、相手発呼先から発呼要求を受けたときの制御内容を示すものであり、まず、その発呼要求が、コンテンツ利用契約を締結した緊急通報サービスセンタなどの特定発呼者からのテレビ電話要求か否かを判断する（ステップＳ１）。
【００４２】
発呼要求が、特定発呼者からのテレビ電話要求であった場合には、無条件でテレビ電話を起動し（ステップＳ２）、この後にテレビ電話機能の停止要求があったか否かを判断する（ステップＳ３）。当該停止要求があった場合には、電話回線を遮断するステップＳ４を実行した後に応答制御ルーチンを終了するが、停止要求がない状態では、ステップＳ１へリターンする。
【００４３】
発呼要求が前記特定発呼者からのものでなかった場合（ステップＳ１：ＮＯ）には、発呼要求が車両１の後部座席からのテレビ電話要求か否かを判断する（ステップＳ５）。発呼要求が、後部座席からのテレビ電話要求であった場合には、無条件でテレビ電話を起動する前記ステップＳ２を実行した後に前記判断ステップＳ３へ移行する。
【００４４】
発呼要求が後部座席からのものでなかった場合（ステップＳ５：ＮＯ）には、ＤＣＭ４のハンズフリー通話機能の設定がオンか否かを判断する（ステップＳ６）。このハンズフリー通話機能の設定がオフであった場合には、相手発呼先に車室内カメラ２２による撮影画像を送出せずに、例えば通話不能である旨のメッセージを相手発呼先に送信するステップＳ７を実行した後にステップＳ３へ移行する。
【００４５】
ハンズフリー通話機能の設定がオンであった場合には、車速センサ２３からの信号により示される車速が時速６ｋｍ以下であるか否かを判断し（ステップＳ８）、車速が時速６ｋｍ以下であった場合には、運転中であることを示す画像（ガイダンス情報に相当）を相手発呼先へ送出するステップＳ９を実行した後にステップＳ３へ移行する。尚、上記運転中であることを示す画像は、ＤＣＭ４内或いはカーナビゲーション装置２０内に予め記憶しておくことになるが、携帯電話機５に設定された前述の「キャラ電」を利用しても良い。
【００４６】
これに対して、車速が時速６ｋｍ未満であった場合（ステップＳ８：ＮＯ）には、テレビ電話を起動するステップＳ１０を実行した後にステップ３へ移行する。
このように構成した本実施例によれば、ＤＣＭ４がアクティブ状態に切替えられた期間、つまり、車両１が時速６ｋｍ以上で走行中であって、テレビ電話機能が制限される期間においては、その旨を示すガイダンス情報が相手発呼先に報知されることになるから、前記第１実施例と同様の効果を奏するものである。
【００４７】
（その他の実施の形態）
本発明は上記した各実施例に限定されるものではなく、例えば以下のような変形または拡張が可能である。
機能差抽出手段の機能をＤＣＭ４で実現する構成としたが、この機能を管理センタ２側（第１及び第２実施例）や、カーナビゲーション装置２０側（第２実施例）で実現しても良い。
第１通信端末及び第２通信端末の例として、それぞれ携帯電話機５及びＤＣＭ４を挙げたが、これらに限らず固定電話機、無線通信機能を備えたゲーム端末やＰＤＡなどであっても良いものである。
【図面の簡単な説明】
【００４８】
【図１】本発明の第１実施例を示す電話システムの構成図
【図２】ＤＣＭの電気的構成を示す機能ブロック図
【図３】作用説明用のシーケンス図
【図４】管理センタでの動作例を説明するためのシーケンス図
【図５】ガイダンス情報の一例を示す図
【図６】本発明の第２実施例を示す図１相当図
【図７】図３相当図
【図８】本発明の第３実施例を示す車両側システムの機能ブロック図
【図９】ＤＣＭによる制御内容を示すフローチャート
【符号の説明】
【００４９】
２はネットワーク管理センタ（情報提供手段）、３は携帯電話通信網、４はＤＣＭ（第２通信端末、機能差抽出手段）、５は携帯電話機（第１通信端末）を示す。
【図１】
2008042477.tif 000003
【図２】
2008042477.tif 000004
【図３】
2008042477.tif 000005
【図４】
2008042477.tif 000006
【図５】
2008042477.tif 000007
【図６】
2008042477.tif 000008
【図７】
2008042477.tif 000009
【図８】
2008042477.tif 000010
【図９】
2008042477.tif 000011